(57)【要約】【課題】落下等の衝撃が筐体に加わっても、その衝撃が表示装置の端面に伝わりにくい表示装置付電子機器および携帯電話機を提供する。【解決手段】携帯電話等の電子機器の筐体（１１）に設けられた収容部（３０）の内壁（３１）と、表示装置が支持される枠体（３３）との間には、凹部を有する突起部（３６）が設けられている。これにより、落下等の衝撃が筐体（１１）に加わっても、内壁（３１）からの衝撃は突起部（３６）、特に凹部が緩和あるいは吸収することになり、表示装置（４０）を衝撃から保護できる。【選択図】図２
2013008033.tif 000002
【特許請求の範囲】
【請求項１】
筐体と、
前記筐体の内側に配置された表示装置と、
前記表示装置の端面の少なくとも一部を覆い、前記表示装置を支持する枠体と、
前記枠体とは別途成型され、前記枠体よりも外側に設けられて、前記表示装置の裏面側から表面側へ向けて突出する突起部と、を備え、
前記枠体と前記突起部との間に凹部が形成され、前記突起部は、前記筐体から横方向の衝撃が加わると、前記凹部の容積を減少させるよう変形することを特徴とする表示装置付電子機器。
【請求項２】
前記突起部は、前記筐体の前記表示装置が配置された側の面よりも低く構成されることを特徴とする請求項１に記載の表示装置付電子機器。
【請求項３】
前記突起部は、前記枠体に対して斜め方向に突出することを特徴とする請求項１に記載の表示装置付電子機器。
【請求項４】
前記突起部は、断面が略Ｌ字状に形成されることを特徴とする請求項１に記載の表示装置付電子機器。
【請求項５】
前記突起部は、前記枠体の所定の一辺において、２箇所に形成されることを特徴とする請求項１に記載の表示装置付電子機器。
【請求項６】
前記突起部の前記表示装置の端面に沿った長さは、前記枠体の前記表示装置の端面に沿った長さより小さいことを特徴とする請求項１に記載の表示装置付電子機器。
【請求項７】
表示装置と、
前記表示装置の端面の少なくとも一部を覆い、前記表示装置を支持する枠体と、
前記枠体とは別途成型され、前記枠体よりも外側に設けられて、前記表示装置の裏面側から表面側へ向けて突出する突起部と、を備え、
前記枠体と前記突起部との間に凹部が形成され、前記突起部は、外側から横方向の衝撃が加わると、前記凹部の容積を減少させるよう変形することを特徴とする枠体付き表示装置。
【発明の詳細な説明】
【技術分野】
【０００１】
本発明は、携帯電話機等の表示装置を備えた表示装置付電子機器および携帯電話機に関するものである。
【背景技術】
【０００２】
従来の表示装置付電子機器においては、表示装置を保護するために、表示装置を枠体によって保持し、枠体を筐体に設けられている収容部に収容するのが一般的である（例えば特許文献１参照）。
【先行技術文献】
【特許文献】
【０００３】
【特許文献１】特開２００２−２９６５６９号公報
【発明の概要】
【発明が解決しようとする課題】
【０００４】
ところで、表示装置付電子機器である携帯電話においては、表示装置の厚み方向に加わる衝撃等に対する対策は各種提案されていた。しかしながら、携帯電話の薄型化に伴って表示装置の薄型化が進み、その結果、携帯電話が落下した際に表示装置の端面に加わる衝撃によって表示装置が破損することが問題となっていた。
【０００５】
本発明は、従来の問題を解決するためになされたもので、落下等の衝撃や外部からの押圧力があった場合でも表示装置の破損を防止する表示装置付電子機器および携帯電話機を提供することを目的とする。
【課題を解決するための手段】
【０００６】
本発明の表示装置付電子機器は、筐体と、前記筐体の内側に配置された表示装置と、前記表示装置の端面の少なくとも一部を覆い、前記表示装置を支持する枠体と、前記枠体とは別途成型され、前記枠体よりも外側に設けられて、前記表示装置の裏面側から表面側へ向けて突出する突起部と、を備え、前記枠体と前記突起部との間に凹部が形成され、前記突起部は、前記筐体から横方向の衝撃が加わると、前記凹部の容積を減少させるよう変形する。
【０００７】
前記突起部は、前記筐体の前記表示装置が配置された側の面よりも低く構成されるようにしてもよい。
【０００８】
前記突起部は、前記枠体に対して斜め方向に突出するようにしてもよい。
【０００９】
前記突起部は、断面が略Ｌ字状に形成されるようにしてもよい。
【００１０】
前記突起部は、前記枠体の所定の一辺において、２箇所に形成されてもよい。
【００１１】
前記突起部の前記表示装置の端面に沿った長さは、前記枠体の前記表示装置の端面に沿った長さより小さいことが好ましい。
【００１２】
本発明の枠体付き表示装置は、表示装置と、前記表示装置の端面の少なくとも一部を覆い、前記表示装置を支持する枠体と、前記枠体とは別途成型され、前記枠体よりも外側に設けられて、前記表示装置の裏面側から表面側へ向けて突出する突起部と、を備え、前記枠体と前記突起部との間に凹部が形成され、前記突起部は、外側から横方向の衝撃が加わると、前記凹部の容積を減少させるよう変形する。
【発明の効果】
【００１３】
本発明は、表示装置付電子機器に落下などの衝撃や外部からの押圧力があった場合でも内部の液晶表示装置の破損を防止することができる。
【図面の簡単な説明】
【００１４】
【図１】本発明に係る第１実施形態の表示装置付電子機器である携帯電話の斜視図である。
【図２】上筐体の分解斜視図である。
【図３】枠体の斜視図である。
【図４】（Ａ）図３中IV−IV位置に対応する枠体および表示装置の断面図、（Ｂ）は衝撃が作用した場合の枠体の変形を示す断面図である。
【図５】（Ａ）は本発明に係る第２実施形態の装置付電子機器である携帯電話に用いられている枠体の斜視図、（Ｂ）は衝撃を受ける前の突起部を示す平面図、（Ｃ）は衝撃を受けた後の突起部を示す平面図である。
【図６】第３実施形態の表示装置付電子機器における上筐体の分解斜視図である。
【図７】図６中VII方向から見た上筐体の収容部内部の斜視図である。
【図８】本発明に係る第４実施形態の表示装置付電子機器である携帯電話に用いられている枠体の斜視図である。
【図９】本発明に係る第５実施形態の表示装置付電子機器である携帯電話に用いられている枠体の斜視図である。
【図１０】本発明に係る第６実施形態の表示装置付電子機器における上筐体の分解斜視図である。
【図１１】突起部の変形例を示す上筐体の分解斜視図である。
【発明を実施するための形態】
【００１５】
（第１実施形態）
以下、本発明に係る第１実施形態の表示装置付電子機器について、図面を用いて説明する。
図１は本発明に係る第１実施形態の表示装置付電子機器である携帯電話の斜視図、図２は上筐体の分解斜視図、図３は枠体の斜視図、図４（Ａ）は図３中IV−IV位置に対応する枠体および表示装置の断面図、図４（Ｂ）は衝撃が作用した場合の枠体の変形を示す断面図である。
【００１６】
図１に示すように、第１実施形態の表示装置付電子機器である携帯電話１０は、上筐体１１および下筐体１２と、上筐体１１および下筐体１２の境界線に沿って配置された回動軸１３を中心として上筐体１１および下筐体１２を相対的に回動可能に連結する連結部１４と、上筐体１１および下筐体１２に収容されて各機器を電気的に接続する回路基板の接続構造（図示省略）とを備えた折畳式の携帯電話である。
【００１７】
上筐体１１は、表面１１Ａの略中央に表示部１６を備え、表示部１６の上方に自分撮りカメラ１７やレシーバ１８を備え、裏面１１Ｂに相手撮りカメラ（図示せず）を備える。
下筐体１２は、表面１２Ａの略中央に操作部２１のキー２２を備え、操作部２１の下方にマイクロフォン２３を備える。また、連結部１４は、上筐体１１の下端部と下筐体１２の上端部とを回動自在に支持するものである。
【００１８】
図２に示すように、上筐体１１の表面１１Ａ側内部には、表示部１６を形成する矩形薄板状の表示装置４０が収容される収容部３０が凹設されている。収容部３０は、四辺を内壁３１で囲まれており、内部には収容部３０よりも一回り小さい矩形をした枠体３３が収容されるようになっている。
従って、表示装置４０は、枠体３３の内部に取付けられて上筐体１１の収容部３０に収容され、上筐体１１および下筐体１２を相対的に回動させて開いたときに外部露出する、いわゆる前面表示部となっている。
【００１９】
図４（Ａ）に示すように、表示部１６の表示装置４０は、ガラス（あるいは樹脂）により形成されたガラス基板４１や導光板４３が積層された液晶表示装置である。一対のガラス基板４１間には液晶部（図示せず）が介装されており、この液晶部から端子４２が外部に引き出されている。また、導光板４３は、光源であるＬＥＤ４４の形状、寸法に応じて略くさび状に厚肉化された導光部４５が端面に設けられている。導光部４５は、導光板４３の下面に対して同一平面に沿うように、各ガラス基板４１に向かって隆起するように配置されている。なお、端子４２は、フレキシブルケーブル４６によって基板（図示省略）に接続されている。
【００２０】
図３に示すように、枠体３３は全体矩形枠状をしており、各辺の断面は、表示装置４０の端面４０ａに対向する内面３４ａを有する枠体本体３４と、表示装置４０における表示面とは反対側の裏面４０ｂに対面して支持する支持壁（底板）３５とからＬ字形状に形成されている。収容部３０の内壁３１と、この内壁３１に対面する枠体本体３４の外面３４ｂとの間には、内壁３１または枠体３３の外面３４ｂの一方である枠体３３の上辺３３ａの外面３４ｂに接合されて、他方である収容部３０内壁３１に向かって延びる突出部３６が設けられている。この突出部３６は、凹部としての空間３６ａを有するように、枠体３３から離れる方向すなわち外側（図３中、矢印参照）に向けて延出される支持部３６ｂと、この支持部３６ｂに連結されて表示装置４０の端面４０ａに対して略平行に設けられる当接部３６ｃとから、断面略Ｌ字状に形成されている。
【００２１】
図３に示すように、突起部３６は枠体本体３４の上側（図３において左下側、図３中、矢印参照）外面３４ｂにおいて、左右両端部に各々設けられている。枠体３３と突起部３６との接合部、すなわち枠体本体３４の外面３４ｂにおける突起部３６の支持部３６ｂの接合部は、枠体における支持壁（底板）３５の延長上に位置している。なお、接合部は、表示装置４０よりも矢印Ａ方向（図４（Ａ）に示す）に設けていればよい。後述する落下等の衝撃の際に、表示装置４０に力を伝えないようにするためである。
これらのような突起部３６は、枠体に対して一体成形されていて、レシーバ１８と表示装置４０との間に位置している。
【００２２】
このため、図４（Ｂ）に示すように、筐体１１から衝撃Ｆが作用して、枠体３３が収容部３０の内壁３１に衝突すると、突起部３６の当接部３６ａおよび支持部３６ｂの変形によって衝撃を緩和あるいは吸収する。このとき、突起部３６の支持部３６ｂから枠体３３に流れる力ｆは、枠体３３の支持壁３５に流れるので、突起部３６が受けた衝撃は枠体３３を介して真っ直ぐにガラス基板４１に伝達されることはない。これにより、接合部から伝達された衝撃は支持壁３５内部で分散し、ガラス基板４１に伝達される衝撃は小さいものとなる。
【００２３】
以上、説明した表示装置付電子機器である携帯電話１０によれば、落下等によって上筐体１１に作用した衝撃は、空間３６ａを有する突起部３６により緩和あるいは吸収されるので、表示装置４０を衝撃から保護できる。
特に、この携帯電話１０によれば、各突起部３６がレシーバ１８と表示装置４０との間に位置しているため、レシーバ１８を下方にして筐体が落下した場合、確実に表示装置４０を保護できる。
【００２４】
（第２実施形態）
次に、本発明に係る第２実施形態の表示装置付電子機器について、図面を用いて説明する。なお、すでに第１実施形態において説明した部位と共通する部位には、同じ符号を付して、重複する説明を省略することとする。
図５（Ａ）は本発明に係る第２実施形態の表示装置付電子機器である携帯電話に用いられている枠体の斜視図、図５（Ｂ）は衝撃を受ける前の突起部を示す平面図、図５（Ｃ）は衝撃を受けた後の突起部を示す平面図である。
【００２５】
図５（Ｂ）および（Ｃ）に示すように、収容部３０の内壁３１と、この内壁３１に対面する枠体本体３４の外面３４ｂとの間には、枠体３３Ｂの外面３４ｂに連結されて収容部３０の内壁３１に向かって延びる突起部３６Ｂが設けられている。この突起部３６Ｂは、凹部としての空間３６ａを有するように、枠体３３Ｂから離れる方向すなわち外側に向けて延出される支持部３６ｂと、この支持部３６ｂの先端に連結されて表示装置４０の端面４０ａに対して略平行に設けられる当接部３６ｃとから、断面略Ｌ字状に形成されている。
【００２６】
図５（Ａ）に示すように、この枠体３３Ｂでは、突起部３６Ｂは枠体本体３４の上側（図３において左下側）外面３４ｂにおいて、左右両端部に各々設けられている。枠体３３Ｂと突起部３６Ｂとの接合部、すなわち枠体本体３４の外面３４ｂにおける突起部３６Ｂの支持部３６ｂの接合部は、図５（Ａ）に示すように、枠体３３Ｂにおける表示装置４０の側端面に対面する側板の延長上に位置している。
【００２７】
以上、説明した携帯電話１０によれば、上筐体１１が衝撃を受けると、図５（Ｃ）に示すように、突起部３６の当接部３６ｃが衝撃を受けて凹部である空間３６ａの容積を減少させるように変形して衝撃を緩和あるいは吸収する。さらに、衝撃は支持部３６ｂから枠体３３Ｂに伝達されるが、支持部３６ｂは枠体３３Ｂの枠体本体３４の延長上に設けられているので、枠体本体３４の内側に収容されている表示装置４０には直接衝撃が伝わらず、表示装置４０に伝達される衝撃を小さくすることができる。
【００２８】
また、この携帯電話１０においても、各突起部３６Ｂが表示装置４０の上方に位置しているため、表示装置４０の上方を下方にして筐体が落下した場合、確実に表示装置４０を保護できる。
（第３実施形態）
次に、本発明に係る第３実施形態の表示装置付電子機器について、図面を用いて説明する。なお、すでに第１実施形態において説明した部位と共通する部位には、同じ符号を付して、重複する説明を省略することとする。
図６は第３実施形態の表示装置付電子機器である携帯電話における上筐体の分解斜視図、図７は図６中VII方向から見た上筐体の収容部内部の斜視図である。
【００２９】
図６および図７に示すように、収容部３０の内壁３１と、この内壁３１に対面する枠体本体３４Ｃの外面３４ｂとの間には、内壁３１または枠体３３の外面３４ｂの一方である内壁３１に連結されて、他方である枠体３３Ｃに向かって延びる突起部３６Ｃが設けられている。この突起部３６Ｃは、凹部としての空間３６ａを有するように、内壁３１から離れる方向すなわち収容部３０内部に向けて突出される支持部３６ｂと、この支持部３６ｂに連結されて収容部３０に収容される表示装置４０の端面４０ａに対して略平行に設けられる当接部３６ｃとから、断面略Ｌ字状に形成されている。
従って、本第３実施形態においては、枠体３３Ｃには突起部３６Ｃは設けられないことになる。
【００３０】
なお、収容部３０の内壁３１に設ける突起部３６Ｃの接合部としては、突起部３６Ｃの当接部３６ｃが枠体３３Ｃに当接した際に、表示装置４０の端面４０ａに衝撃が直接伝達されない位置とするのが望ましい。例えば、枠体３３Ｃの支持壁３５に対応した位置に設けることができる。
【００３１】
以上、説明した携帯電話１０によれば、上筐体１１が衝撃を受けた結果、収容部３０の枠体３３Ｃおよび表示装置４０が移動して収容部３０の内壁３１に衝突した際に、内壁３１に設けた突起部３６が衝撃を緩和あるいは吸収するので、表示装置４０に作用する衝撃を小さくして表示装置４０を保護することができる。
【００３２】
また、この携帯電話１０においても、各突起部３６Ｃがレシーバ１８と表示装置４０との間に位置しているため、レシーバ１８を下方にして筐体が落下した場合、確実に表示装置４０を保護できる。
【００３３】
（第４実施形態）
次に、本発明に係る第４実施形態の表示装置付電子機器について、図面を用いて説明する。なお、すでに第１実施形態において説明した部位と共通する部位には、同じ符号を付して、重複する説明を省略することとする。
図８は本発明に係る第４実施形態の表示装置付電子機器である携帯電話に用いられている枠体の斜視図である。
【００３４】
図８に示すように、本実施形態にかかる携帯電話に用いられる枠体３３Ｄでは、左右の枠体本体３４の延長上に突起部３６Ｄが各々設けられており、表示装置４０のガラス基板４１の端面４１位置に対応しない位置に設けられている。この突起部３６Ｄでは、前述した支持部３６ｂと当接部３６ｃとを兼ねた１部材３６ｅのみで構成されており、枠体３３の外面３４ｂに対して斜め方向内側に突出することにより、凹部である内部空間３６ａを形成している。
これらの突起部３６Ｄの接合部は、枠体３３Ｄにおける表示装置４０の側端面に対面する側板の延長上に位置している。
【００３５】
このように構成することにより、前述した実施形態と同様の作用・効果を有し、表示装置４０を保護することができる。さらに、突起部３６Ｄの構成を一層簡易なものとすることができる。
【００３６】
（第５実施形態）
次に、本発明に係る第５実施形態の表示装置付電子機器について、図面を用いて説明する。なお、すでに説明した部位と共通する部位には、同じ符号を付して、重複する説明を省略することとする。
図９は本発明に係る第５実施形態の表示装置付電子機器である携帯電話に用いられている枠体の斜視図である。
【００３７】
図９に示すように、本実施形態にかかる携帯電話に用いられる枠体３３Ｅでは、支持壁３５の延長上に突起部３６Ｅが各々設けられており、表示装置４０のガラス基板４１の端面４１位置に対応しない位置に設けられている。この突起部３６Ｅでは、前述した支持部３６ｂと当接部３６ｃを兼ねた１部材３６ｆのみで構成されており、枠体３３の外面３４ｂに対して斜め方向上側に突出することにより、凹部である内部空間３６ａを形成している。
これらの突起部３６Ｅの接合部は、枠体３３Ｅにおける支持壁（底板）３５の延長上に位置している。
【００３８】
このように構成することにより、前述した実施形態と同様の作用・効果を有し、表示装置４０を保護することができる。さらに、突起部３６Ｅの構成を一層簡易なものとすることができる。
【００３９】
（第６実施形態）
次に、本発明に係る第６実施形態の表示装置付電子機器について、図面を用いて説明する。なお、すでに説明した部位と共通する部位には、同じ符号を付して、重複する説明を省略することとする。
図１０は本発明の第６実施形態にかかる表示装置付電子機器における上筐体の分解斜視図である。
【００４０】
図１０に示すように、本実施形態にかかる携帯電話に用いられる枠体３３Ｆでは、枠体３３Ｆの４隅における上下方向および左右方向の外面３４ｂに各々突起部３６Ｆが設けられていて、枠体３３Ｆの短手方向端部にも突起部３６Ｆが設けられている。従って、合計８個の突起部３６Ｆが設けられることになる。なお、各突起部３６Ｆの接合部は、枠体３３Ｆにおける表示装置４０の側端面に対面する側板の延長上や、あるいは枠体３３Ｆにおける支持壁（底板）３５の延長上に位置している。
【００４１】
このように構成することにより、前述した実施形態と同様の作用・効果を有し、表示装置４０を保護することができる。さらに、枠体３３の四隅に突起部３６Ｆを上下方向および左右方向に設けたので、携帯電話１０を上下左右どの方向から落としても衝撃を吸収して表示装置４０を保護することができる。
【００４２】
なお、以上の説明では、突起部３６を少なくとも枠体３３の上側に設けた場合を例示したが、図１１に示すように、ヒンジ部１４と表示装置４０との間にのみ突起部３６Ｇを設けることも可能である。
【００４３】
また、前述した各実施形態においては、表示装置付電子機器として折畳式の携帯電話を例示し、表示装置として筐体を開いたときに露出する前面表示部を例示したが、本発明はノートパソコンや携帯型音楽再生装置、携帯型テレビ、携帯型ラジオ、カメラ、液晶腕時計、液晶ストップウォッチ、携帯型ＧＰＳ、携帯型ゲーム機器、ステレオ等の据置型電子機器を操作するリモコン、電子卓上計算機にも適用可能であり、その形態も折畳式に限定せず、例えばストレート型、スライド型、回転式等でもよく、表示装置の配置個所や数も任意である。
【００４４】
さらに、前述した各実施形態においては、表示装置として液晶表示装置を例示したが、本発明は表示装置として有機ＥＬディスプレイや無機ＥＬディスプレイ等にも適用可能である。
また、前述した各実施形態においては、枠体に対して一体成型された突起部を例示したが、例えば別途成形された突起部を枠体に対して後から取り付ける形態も本発明に含まれる。
【００４５】
さらに、前述した各実施形態における凹部の形状は、前述した各実施形態において示した形態以外にも、例えばＵ字形状、コの字状、Ｖ字形状でもよい。
そして、本発明は、前述した各実施形態を適宜組み合わせることも可能である。
【００４６】
以上のように、本発明にかかる液晶表示装置付電子機器は、落下等の衝撃が筐体に加わっても、表示装置を衝撃から保護することができるという効果を有するため、筐体の収容部において、枠体により表示装置が支持されている携帯電話、ノートパソコン、携帯音楽機、携帯型テレビ、ＰＤＡ、その他の電子機器に有用である。
【産業上の利用可能性】
【００４７】
本発明は、落下などの衝撃や外部からの押圧力があった場合でも内部の液晶表示装置の破損を防止することができるため、携帯電話機等の表示装置を備えた表示装置付電子機器および携帯電話機に有用である。
【符号の説明】
【００４８】
１０  携帯電話（表示装置付電子機器）
１１  上筐体（筐体）
１６  表示部
３０  収容部
３１  内壁
３３  枠体
３４ｂ  枠体本体外面（枠体の外側）
３６  突起部
３６ａ  空間（凹部）
３６ｂ  支持部
３６ｃ  当接部
４０  表示装置
４０ａ  端面
４０ｂ  裏面
４１  ガラス基板
【図１】
2013008033.tif 000003
【図２】
2013008033.tif 000004
【図３】
2013008033.tif 000005
【図４】
2013008033.tif 000006
【図５】
2013008033.tif 000007
【図６】
2013008033.tif 000008
【図７】
2013008033.tif 000009
【図８】
2013008033.tif 000010
【図９】
2013008033.tif 000011
【図１０】
2013008033.tif 000012
【図１１】
2013008033.tif 000013